(57)【要約】【課題】毛髪に塗布するための塗布剤が塗布作業中にのみ吐出されるとともに広範囲に塗布される毛髪用塗布具付容器を提供する。【解決手段】この毛髪用塗布具付容器１は、毛髪化粧料を収容するためのタンク１０と、毛髪化粧料を毛髪に塗布するための塗布部２０とを備えている。タンク１０及び塗布部２０はくびれ部３０を挟んで連結されており、くびれ部３０には、タンク１０に収容されている毛髪化粧料を塗布部２０へ供給するための内部流路３１が形成されている。そして、塗布面２１から突出する突出部４５が塗布作業に伴い塗布面２１側に押し込まれることにより内部流路３１が開き、タンク１０に収容されている毛髪化粧料が塗布部２０へ供給され、塗布面２１の全域に設けられた複数の吐出穴２３，２３，…に分配されて吐出される。【選択図】図２
2010213838.tif 000002
【特許請求の範囲】
【請求項１】
塗布剤を収容するための収容部と、
塗布剤を毛髪に塗布するための複数の立設部材が立設された塗布面を有するとともに、前記収容部から供給される塗布剤を前記塗布面の全域に設けられた複数の吐出穴に分配して吐出する塗布部と、
前記収容部に収容されている塗布剤を前記塗布部へ供給するための内部流路を開閉する開閉弁と、
前記開閉弁に対して閉弁方向への力を付与する弾性体と、
前記塗布面から突出する突出部が前記塗布面側に押し込まれることにより前記開閉弁を開弁方向に移動させる開弁手段と、
を備えることを特徴とする毛髪用塗布具付容器。
【請求項２】
前記収容部及び前記塗布部は、これらよりも細い外形であって前記内部流路を形成するくびれ部を挟んで連結されていること
を特徴とする請求項１に記載の毛髪用塗布具付容器。
【請求項３】
前記開閉弁は、前記収容部の内部から前記内部流路を開閉するものであり、
前記開弁手段は、前記くびれ部により形成される前記内部流路に収容されて前記突出部と前記開閉弁とを連結する連結部を有しており、
前記収容部に収容されている塗布剤は、前記連結部の外面と前記内部流路の内面との間に形成される隙間を通って前記塗布部へ供給されること
を特徴とする請求項２に記載の毛髪用塗布具付容器。
【請求項４】
前記塗布部の内部には、前記収容部から供給される塗布剤を吸収して前記塗布面の全域に拡散する吸収体が設けられていること
を特徴とする請求項１から請求項３までのいずれか１項に記載の毛髪用塗布具付容器。
【請求項５】
前記吸収体は、前記収容部から塗布剤が供給される中央部分がその外周部よりも厚く形成されていること
を特徴とする請求項４に記載の毛髪用塗布具付容器。
【請求項６】
前記吸収体は、前記塗布面側に隙間を空けて設けられていること
を特徴とする請求項４又は請求項５に記載の毛髪用塗布具付容器。
【請求項７】
前記塗布部は、前記立設部材として複数の線状部材からなる刷毛を備えること
を特徴とする請求項１から請求項６までのいずれか１項に記載の毛髪用塗布具付容器。
【請求項８】
前記塗布部は、前記立設部材として前記刷毛よりも突出した棒状部材からなる櫛歯を備え、
前記突出部は前記櫛歯よりも突出していること
を特徴とする請求項７に記載の毛髪用塗布具付容器。
【請求項９】
前記収容部は、湾曲した形状であること
を特徴とする請求項１から請求項８までのいずれか１項に記載の毛髪用塗布具付容器。
【発明の詳細な説明】
【技術分野】
【０００１】
本発明は、毛髪用の塗布剤を収容するための収容部及びその塗布剤を毛髪に塗布するための塗布部を備えた毛髪用塗布具付容器に関するものである。
【背景技術】
【０００２】
従来、塗布剤を収容するための収容部及びその塗布剤を塗布するための刷毛などの塗布部を備え、収容部内の塗布剤を塗布部から吐出しつつ塗布できるようにした塗布具付容器が知られている。このような塗布具付容器では、塗布作業を行っていない状態においても塗布剤が吐出されると塗布部から垂れ落ちてしまうことから、塗布作業中にのみ吐出されるようにすることが好ましい。
【０００３】
例えば、特許文献１には、塗布剤としての染料インキで描画を行ったり、塗布剤としての薬を患部に塗布したりするための塗布具付容器として、塗布作業中にのみ塗布剤が吐出されるようにした構成が示されている。具体的には、この塗布具付容器では、刷毛が設けられた塗布部の中央位置に筒状の吐出穴が形成され、開閉弁によって塞がれている。この開閉弁は、閉弁方向への力がバネにより付与されており、塗布部に設けられた円柱部が塗布作業に伴い押し込まれることにより開弁方向へ移動する。このため、塗布作業中にのみ塗布剤が吐出されるようにすることができる。
【先行技術文献】
【特許文献】
【０００４】
【特許文献１】特開２００６−１５２１１号公報
【発明の概要】
【発明が解決しようとする課題】
【０００５】
ところで、毛髪に塗布するための毛髪化粧料等の塗布剤は、毛髪にムラ無く均一に塗布することが望まれる。このため、このような塗布剤を毛髪に塗布するための塗布具（刷毛やブラシなど）は、塗布剤を一度に広範囲に塗布できるものであることが好ましい。この点、前述した特許文献１に記載の塗布具付容器のように、塗布部の一箇所のみから塗布剤を吐出する構成では、毛髪用の塗布剤を塗布するために用いたとしても、塗布剤を一度に広範囲に塗布することはできない。
【０００６】
本発明は、こうした問題にかんがみてなされたものであり、毛髪に塗布するための塗布剤が塗布作業中にのみ吐出されるとともに広範囲に塗布される毛髪用塗布具付容器を提供することを目的としている。
【課題を解決するための手段】
【０００７】
上記目的を達成するためになされた本発明の請求項１に記載の毛髪用塗布具付容器は、塗布剤を収容するための収容部と、塗布剤を毛髪に塗布するための複数の立設部材が立設された塗布面を有するとともに収容部から供給される塗布剤を塗布面の全域に設けられた複数の吐出穴に分配して吐出する塗布部と、収容部に収容されている塗布剤を塗布部へ供給するための内部流路を開閉する開閉弁と、開閉弁に対して閉弁方向への力を付与する弾性体と、塗布面から突出する突出部が塗布面側に押し込まれることにより開閉弁を開弁方向に移動させる開弁手段とを備える。
【０００８】
このような毛髪用塗布具付容器では、塗布面から突出する突出部が塗布作業に伴い塗布面側に押し込まれることにより内部流路が開き、収容部に収容されている塗布剤が塗布部へ供給され、塗布面の全域に設けられた複数の吐出穴に分配されて吐出される。
【０００９】
したがって、この毛髪用塗布具付容器によれば、塗布剤が塗布作業中にのみ吐出されるとともに広範囲に塗布されるようにすることができる。
ところで、このような構成の毛髪用塗布具付容器では、外形全体における収容部の占める割合が大きくなり、収容部の部分を握って使用されることが考えられる。しかしながら、このような持ち方では塗布面の方向を定めにくく、突出部が塗布面側に良好に押し込まれないことが生じ得る。
【００１０】
そこで、例えば請求項２に記載の毛髪用塗布具付容器では、収容部及び塗布部が、これらよりも細い外形であって内部流路を形成するくびれ部を挟んで連結されている。このような毛髪用塗布具付容器によれば、例えばくびれ部を指で挟んで使用することで、手のひらの向きと塗布面の向きとを一致させるといったことが可能となる。このため、塗布面の方向を定めやすくなり、突出部を塗布面側に良好に押し込みやすくすることができる。
【００１１】
さらに、例えば請求項３に記載の毛髪用塗布具付容器では、開閉弁は、収容部の内部から内部流路を開閉するものであり、開弁手段は、くびれ部により形成される内部流路に収容されて突出部と開閉弁とを連結する連結部を有しており、収容部に収容されている塗布剤は、連結部の外面と内部流路の内面との間に形成される隙間を通って塗布部へ供給される。
【００１２】
このような毛髪用塗布具付容器によれば、収容部から塗布部へ供給される塗布剤が、連結部の外面と内部流路の内面との間に形成される隙間で広がりつつ流れるようにすることが可能となる。この結果、重力の影響による塗布剤流量の偏りを抑制することができる。
【００１３】
一方、複数の吐出穴から吐出される塗布剤の量はできるだけ均等であることが好ましい。
そこで、例えば請求項４に記載の毛髪用塗布具付容器では、塗布部の内部には、収容部から供給される塗布剤を吸収して塗布面の全域に拡散する吸収体が設けられている。このような毛髪用塗布具付容器によれば、吸収体を設けない場合に比べ、特に塗布面が水平面に対して傾いた状態における複数の吐出穴への塗布剤の分配の偏りを生じにくくすることができる。
【００１４】
ここで、吸収体は、例えば請求項５に記載のように、収容部から塗布剤が供給される中央部分がその外周部よりも厚く形成されているとよい。このような形状の吸収体であれば、例えば厚みが一定の吸収体に比べ、塗布剤が中央部から外周部へ広がりやすくすることができる。
【００１５】
また、吸収体は、例えば請求項６に記載のように、塗布面側に隙間を空けて設けられているとよい。このように隙間を空けることで、吸収体において塗布剤の量の偏りが生じた場合にも、量の多い部分の塗布剤が隙間にあふれ出て、量の少ない部分で再吸収されることにより、偏りを緩和させることができる。
【００１６】
一方、例えば請求項７に記載の毛髪用塗布具付容器では、塗布部が、立設部材として複数の線状部材からなる刷毛を備える。このような毛髪用塗布具付容器によれば、刷毛により塗布剤を保持しながら塗布することができるため、塗布作業を効率よく行うことができる。
【００１７】
さらに、例えば請求項８に記載の毛髪用塗布具付容器では、塗布部が、立設部材として刷毛よりも突出した棒状部材からなる櫛歯を備え、突出部は櫛歯よりも突出している。
このような毛髪用塗布具付容器によれば、櫛歯で毛髪を梳きながら刷毛で塗布剤を塗布することができるため、塗布剤に毛髪をムラなく塗布することが可能となる。特に、櫛歯が刷毛よりも突出しているため、刷毛が地肌に接触しにくくすることができ、この結果、塗布剤が地肌に塗布されにくくすることができる。加えて、突出部が櫛歯よりも突出しているため、櫛歯を強く押し付けることなく突出部を押し込むことができる。
【００１８】
ところで、毛髪用塗布具付容器を異なる向きで使用した場合に、向きによっては塗布剤が収容部から流出しにくくなることが考えられる。
そこで、例えば請求項９に記載の毛髪用塗布具付容器では、収容部が湾曲した形状となっている。このような毛髪用塗布具付容器によれば、収容部が湾曲していない形状に比べ、異なる向きで使用した場合に塗布剤を収容部から流出しやすくすることができる。
【図面の簡単な説明】
【００１９】
【図１】実施形態の毛髪用塗布具付容器の外観図である。
【図２】実施形態の毛髪用塗布具付容器の断面図である。
【図３】実施形態の毛髪用塗布具付容器の使用方法の説明図である。
【図４】変形例としての毛髪用塗布具付容器の部分拡大図である。
【発明を実施するための形態】
【００２０】
以下、本発明が適用された実施形態について、図面を用いて説明する。
［１．全体構成］
図１は、実施形態の毛髪用塗布具付容器１の模式的な外観図であり、図２は、その断面図である。
【００２１】
この毛髪用塗布具付容器１は、塗布剤としての毛髪化粧料（本実施形態では液状のヘアマニキュア）を毛髪に塗布するためのものである。具体的には、この毛髪用塗布具付容器１は、毛髪化粧料を収容するためのタンク１０と、毛髪化粧料を毛髪に塗布するための塗布部２０とを備えており、タンク１０及び塗布部２０は、これらよりも細い外形のくびれ部３０を挟んで連結されている。
【００２２】
図２に示すように、くびれ部３０には、タンク１０に収容されている毛髪化粧料を塗布部２０へ供給するための断面円形の内部流路３１が形成されている。そして、塗布部２０は、タンク１０から内部流路３１を介して供給された毛髪化粧料を吐出しつつ塗布することができるようになっている。塗布部２０における毛髪化粧料を塗布する側の面である塗布面２１（塗布部２０の下面）は、毛髪化粧料を一度に広範囲に塗布することができるように広く形成されている。
【００２３】
なお、図２では、塗布部２０における塗布面２１側を保護する保護キャップ６０が塗布部２０に装着された状態を示している。この保護キャップ６０は、毛髪用塗布具付容器１使用していない状態で載置する台としても機能する。
【００２４】
タンク１０は、上部の開口部１１から毛髪化粧料を補充可能となっており、この開口部１１は補充用キャップ１２が装着された状態（図１及び図２に示す状態）で液密に封止される。
【００２５】
また、タンク１０は、透明な材料で形成されており、収容されている毛髪化粧料の残量を視認できるようになっている。また、毛髪化粧料の残量を把握するための目安として、目盛りが記されている。なお、図２に示す目盛り（３本の横線）はあくまでも一例である。
【００２６】
さらに、タンク１０は、略円筒状の側壁を斜め上方へ湾曲させたような形状となっており、図２において左右非対称の形状となっている。これにより、塗布部２０を下に向けた使用状態（図２に示す状態）だけでなく、横に向けた使用状態（具体的には、図２を左に９０度回転させた状態）においても、タンク１０内における内部流路３１への流出穴を基準とする水位（正確には毛髪化粧料の液面の高さ位置）を高く確保することが可能となる。つまり、横に向けた使用状態における毛髪化粧料の位置ヘッドの低下が生じにくい形状に設計されている。このため、毛髪用塗布具付容器１を異なる向きで使用しても、タンク１０内の毛髪化粧料がスムーズに流出しやすくなる。
【００２７】
また、タンク１０の内部には、タンク１０内部から内部流路３１を開閉する（タンク１０の底面に形成された流出穴を塞ぐ）弁体４１と、この弁体４１に対して閉弁方向への力（流出穴へ押し付ける力）を付与するバネ４２とが設けられている。本実施形態では、弁体４１及びバネ４２は樹脂により一体成型されている。
【００２８】
具体的には、バネ４２は、リング状のベース部４３を有しており、このベース部４３がタンク１０の内壁に形成された突起１３に当接することで、上方への移動が制限されている。そして、このベース部４３から２本のらせん状バネ部４４，４４（図２では簡易的に示している。）がそれぞれ下方に延びて弁体４１の上面と連結しており、これら２本のらせん状バネ部４４，４４が弾性作用を発揮する。
【００２９】
一方、塗布部２０は、その上面２２が略半球状に形成されている。この部分は、使用者がくびれ部３０を指で挟むようにして毛髪用塗布具付容器１を持った状態において手のひら側に接する部分であり、略半球状に形成されていることから包み込むような感覚で把持することができる。
【００３０】
また、塗布部２０における塗布面２１には、その全域に複数の吐出穴２３，２３，…が形成されており、タンク１０から供給された毛髪化粧料が複数の吐出穴２３，２３，…に分配されて吐出される。そして、この塗布面２１には、複数の吐出穴２３，２３，…のそれぞれに対応する位置に、多数の線状（毛状）部材の束を垂直に立設（植毛）した刷毛（植毛部）２４が設けられている。つまり、吐出穴２３，２３，…から吐出された毛髪化粧料は、毛管現象によって刷毛２４に保持される。また、この塗布面２１には、刷毛２４よりも突出した（塗布面２１からの高さが高い）棒状部材が垂直に立設されてなる櫛歯２５が複数箇所に設けられている。
【００３１】
さらに、この塗布面２１には、櫛歯２５よりも更に突出した１本の棒状の突出部４５が塗布面２１を貫通して設けられている。この突出部４５は、前述した弁体４１及びバネ４２と一体のものであり、具体的には、内部流路３１に収容された棒状の連結部４６を介して弁体４１の下面と連結している。これにより、突出部４５が塗布面２１側に押し込まれると弁体４１がバネ４２の弾性力に逆らって開弁方向に移動する開閉機構（本発明の開弁手段に相当）が構築されている。なお、タンク１０に収容されている毛髪化粧料は、連結部４６の外面と内部流路３１の内面との間に形成される隙間を通って塗布部２０へ供給される。
【００３２】
以下、この一体の部材（弁体４１、バネ４２、突出部４５及び連結部４６を形成する部材）を内部部材４０と称する。内部部材４０は、弁体４１の下面から延びる棒状の部分が塗布面２１中央位置に形成された貫通穴２６を貫通して配置されている。そして、この棒状の部分における貫通穴２６を挟んだ両側の位置には、径が拡大された規制部４７，４８が形成されており、これら２つの規制部４７，４８により、棒状の部分のストローク（移動範囲）が規制される。また、これらの規制部４７，４８は、貫通穴２６を閉じる（シールする）機能も有している。
【００３３】
なお、内部部材４０のストロークは弁体４１等によっても規制されるため、規制部４７，４８にはストロークを規制する機能を持たせないようにすることも可能である。また、内部部材４０は、貫通穴２６を挟んだ両側の位置に規制部４７，４８を配置するため２部品（２パーツ）で構成されており、規制部４７，４８の間に位置する結合部４９で結合されている。
【００３４】
以上のように、塗布面２１には、内部部材４０の下端部である突出部４５と、突出部４５よりも短い櫛歯２５と、櫛歯２５よりも更に短い刷毛２４とが設けられている。具体的には、円形の塗布面２１における中央位置に突出部４５が位置し、その外周位置に刷毛２４が位置し、更にその外周位置（塗布面２１における外縁位置）に櫛歯２５が位置している。
【００３５】
一方、塗布部２０の内部には、タンク１０から供給される毛髪化粧料を吸収して塗布面２１の全域に拡散するスポンジ５０が設けられている。スポンジ５０は、タンク１０から毛髪化粧料が供給される中央部分がその外周部よりも厚く（内部流路３１側に凸の略半球状に）形成されている。また、本実施形態では、スポンジ５０は、その下面が塗布面２１側の壁（塗布部２０内部の底面）に隙間無く接触するように設けられている。
【００３６】
なお、本実施形態の毛髪用塗布具付容器１は、（１）補充用キャップ１２、（２）タンク１０の上部を形成する部材（透明）、（３）タンク１０の下部、くびれ部３０及び塗布部２０上面２２を一体的に形成する部材（透明）、（４）塗布面２１及び櫛歯２５を一体的に形成する部材、（５）内部部材４０のうち弁体４１、バネ４２、連結部４６及び規制部４８を形成する側の部材、（６）内部部材４０のうち突出部４５及び規制部４７を形成する側の部材、（７）スポンジ５０、（８）保護キャップ６０、の８パーツで構成されている。
【００３７】
［２．使用方法］
次に、本実施形態の毛髪用塗布具付容器１の使用方法について、図３を用いて説明する。
【００３８】
まず、図３（ａ）に示すように、補充用キャップ１２を取り外して開口部１１を露出させた状態で、詰め替え用容器７０から毛髪化粧料をタンク１０に補充する。
続いて、図３（ｂ）に示すように、補充用キャップ１２を装着して開口部１１を封止した上で、図３（ｃ）に示すようにくびれ部３０を指で（例えば人差し指及び中指で）挟むようにして持つ。このとき、略半球状に形成された塗布部２０の上面２２が手のひら側に接することとなり、安定した状態で把持することができる。なお、保護キャップ６０については使用前に取り外す。
【００３９】
続いて、図３（ｄ）に示すように、櫛歯２５で毛髪を梳きながら塗布部２０を毛髪に押し当てる。これにより、突出部４５が塗布面２１側に押し込まれ、弁体４１がバネ４２の力に反して開弁方向に移動する。この結果、内部流路３１が開かれ、タンク１０内に収容されている毛髪化粧料が、内部流路３１を通って塗布部２０へ供給される。塗布部２０へ供給された毛髪化粧料は、スポンジ５０に浸透して全体に広がることにより、塗布面２１の全域に形成された複数の吐出穴２３，２３，…に分配されて吐出される。
【００４０】
また、図３（ｅ）に示すように、横向きに使用された場合にも、タンク１０内の毛髪化粧料がスムーズに流出する。また、毛髪化粧料はスポンジ５０に浸透して全体に広がるため、スポンジ５０が無い場合に比べて複数の吐出穴２３，２３，…に分配されやすくなる。
【００４１】
ここで、連結部４６の外面と内部流路３１の内面との間に形成される隙間が小さいほど、毛髪化粧料が連結部４６の外周全域に渡って広がりやすくなり、重力の影響による毛髪化粧料の流量の偏りが抑制される。図面上は、構成を分かりやすくするために隙間を大きく示しているが、実際の構造としては、内部流路３１の断面と連結部４６の断面とをほぼ同じ大きさにすることが考えられる。
【００４２】
そして、図３（ｆ）に示すように、塗布部２０を毛髪に押し当てる力を解放すると、バネ４２の力が付与されている弁体４１によって内部流路３１が閉じられ、タンク１０から塗布部２０への毛髪化粧料の供給が停止する。このため、塗布作業中以外では液だれが防止される。
【００４３】
［３．効果］
以上説明したように、本実施形態の毛髪用塗布具付容器１では、塗布面２１から突出する突出部４５が塗布作業に伴い塗布面２１側に押し込まれることにより内部流路３１が開き、タンク１０に収容されている毛髪化粧料が塗布部２０へ供給され、塗布面２１の全域に設けられた複数の吐出穴２３，２３，…に分配されて吐出される。したがって、この毛髪用塗布具付容器１によれば、毛髪化粧料が塗布作業中にのみ吐出されるとともに一度に広範囲に塗布されるようにすることができる。
【００４４】
また、本実施形態の毛髪用塗布具付容器１によれば、くびれ部３０を指で挟んで使用することで、手のひらの向きと塗布面２１の向きとを一致させることができる。この結果、手が自然な向きになり、塗布面２１の方向を定めやすくなるため、突出部４５を塗布面２１側に良好に（真っ直ぐに）押し込みやすくすることができる。特に、塗布部２０の上面２２が略半球状に形成されているため、安定した状態で把持することができる。
【００４５】
さらに、本実施形態の毛髪用塗布具付容器１によれば、タンク１０から塗布部２０へ供給される毛髪化粧料が、連結部４６の外面と内部流路３１の内面との間に形成される隙間で広がりつつ流れるようにすることが可能となるため、重力の影響による毛髪化粧料の流量の偏りを抑制することができる。
【００４６】
一方、本実施形態の毛髪用塗布具付容器１によれば、塗布部２０へ供給された毛髪化粧料がスポンジ５０に浸透して広がるため、特に塗布面２１が水平面に対して傾いた状態における複数の吐出穴２３，２３，…への毛髪化粧料の分配の偏りを生じにくくすることができる。しかも、スポンジ５０の中央部分が外周部よりも厚く形成されているため、厚みが一定の場合に比べ、毛髪化粧料が中央部から外周部へ広がりやすくすることができる。
【００４７】
また、本実施形態の毛髪用塗布具付容器１によれば、吐出穴２３，２３，…から吐出された毛髪化粧料が刷毛２４によって保持されるため、刷毛２４により毛髪化粧料を保持しながら塗布することが可能となり、塗布作業を効率よく行うことができる。
【００４８】
さらに、本実施形態の毛髪用塗布具付容器１によれば、刷毛２４に加え櫛歯２５が設けられており、櫛歯２５で毛髪を梳きながら刷毛２４で毛髪化粧料を塗布することができるため、毛髪化粧料に毛髪をムラなく塗布することが可能となる。特に、櫛歯２５が刷毛２４よりも突出しているため、刷毛２４が地肌に接触しにくくすることができ、この結果、毛髪化粧料が地肌に塗布されにくくなり、地肌汚れを防止することができる。しかも、櫛歯２５が最外周に配置されているため、毛髪は櫛歯２５で梳かれた後に刷毛２４によって毛髪化粧料が塗布されるという好ましい順序になるとともに、櫛歯２５により刷毛２４に指が直接触れにくくなる。加えて、突出部４５が櫛歯２５よりも突出しているため、櫛歯２５を強く押し付けることなく突出部４５を押し込むことができる。
【００４９】
また、本実施形態の毛髪用塗布具付容器１によれば、タンク１０が湾曲しているため、異なる向きで使用した場合に毛髪化粧料をタンク１０から流出しやすくすることができる。さらに、弁体４１がタンク１０内に設けられているため、毛髪化粧料の液圧を閉弁側に働かせることができる。
【００５０】
［４．特許請求の範囲との対応］
なお、本実施形態の毛髪用塗布具付容器１では、弁体４１が開閉弁に相当し、スポンジ５０が吸収体に相当し、タンク１０が収容部に相当し、バネ４２が弾性体に相当する。
【００５１】
［５．他の形態］
以上、本発明の実施形態について説明したが、本発明は、上記実施形態に限定されることなく、種々の形態を採り得ることは言うまでもない。
【００５２】
（Ａ）上記実施形態の毛髪用塗布具付容器１では、スポンジ５０が、その下面が塗布面２１側の壁（塗布部２０内部の底面）に隙間無く接触するように設けられているが、これに限定されるものではなく、あえて隙間を生じさせるような設計とすることも可能である。具体的には、例えば、図４に示すように、吐出穴２３，２３，…を上方（塗布部２０の内部側）へ筒状に突出させた構造とする。このようにすれば、スポンジ５０の下面が筒状部分に当接して載置されることにより、スポンジ５０の下面と塗布面２１側の壁との間に隙間が形成される。このように隙間を空けることで、スポンジ５０において毛髪化粧料の量の偏りが生じた場合にも、量の多い部分の毛髪化粧料が隙間にあふれ出て、量の少ない部分で再吸収されることにより、偏りを緩和させることができる。
【００５３】
（Ｂ）上記実施形態では、タンク１０及び塗布部２０がくびれ部３０を挟んで連結された構成を例示したが、これに限定されるものではなく、くびれ部３０無しの構成とすることも可能である。
【００５４】
（Ｃ）上記実施形態では、吐出穴２３，２３，…から吐出された毛髪化粧料が刷毛２４に保持される構成を例示したが、これに限定されるものではなく、例えば、櫛歯２５に形成した穴から吐出させるようにしてもよい。
【００５５】
（Ｄ）本発明の塗布剤は、上記実施形態で例示したヘアマニキュアに限定されるものではなく、例えば、ヘアマニキュア以外の毛髪化粧料であってもよい。また、塗布剤は毛髪化粧料に限定されるものではなく、例えば育毛剤のように毛髪化粧料以外の毛髪用塗布剤（薬液）であってもよい。また、液体はクリーム状のものであってもよい。
【００５６】
（Ｅ）本発明の収容部は、上記実施形態で例示したタンク１０に限定されるものではない。例えば、透明に限らず、透明でないものや半透明のものであってもよい。また、湾曲していない形状とすることも可能である。
【００５７】
（Ｆ）本発明の塗布部は、上記実施形態で例示した塗布部２０に限定されるものではなく、例えば、櫛歯２５及び刷毛２４のうち一方のみとしてもよい。また、これら以外の部材であってもよい。
【００５８】
（Ｇ）本発明の開閉弁は、上記実施形態で例示した弁体４１に限定されるものではなく、例えば、タンク１０内に代えて内部流路３１や塗布部２０内部に設けることも可能である。
【００５９】
（Ｈ）本発明の弾性体は、上記実施形態で例示したバネ４２に限定されるものではなく、例えば、タンク１０内に代えて内部流路３１や塗布部２０内部に設けることも可能である。また、材質は樹脂に限定されるものではなく、例えばゴムや金属であってもよい。
【００６０】
（Ｉ）本発明の突出部は、上記実施形態で例示した突出部４５に限定されるものではない。例えば、配置は塗布面２１の中央位置に限らず、塗布面２１の外縁部など、中央位置以外であってもよい。また、本数も１本に限らず、複数本であってもよい。
【００６１】
（Ｊ）本発明の吸収体は、上記実施形態で例示したスポンジ５０に限定されるものではなく、例えば、繊維状のものであってもよい。
【符号の説明】
【００６２】
１…毛髪用塗布具付容器、１０…タンク、１１…開口部、１２…補充用キャップ、１３…突起、２０…塗布部、２１…塗布面、２２…上面、２３…吐出穴、２４…刷毛、２５…櫛歯、２６…貫通穴、３０…くびれ部、３１…内部流路、４０…内部部材、４１…弁体、４２…バネ、４３…ベース部、４４…らせん状バネ部、４５…突出部、４６…連結部、４７，４８…規制部、５０…スポンジ、６０…保護キャップ、７０…詰め替え用容器
【図１】
2010213838.tif 000003
【図２】
2010213838.tif 000004
【図３】
2010213838.tif 000005
【図４】
2010213838.tif 000006